(57)【要約】【課題】入力された画像信号に階調処理を施し、可視画像を表示するとともに、その階調処理の処理条件を表示するような画像処理条件表示方法および装置において、階調処理を施す画像信号の強度範囲および階調処理の濃度範囲を容易に指定することができ、適切な可視画像を表示する。【解決手段】階調処理の処理条件として、画像信号の強度分布を示すヒストグラム６０と、階調処理の濃度範囲を示すグラデーション画像６２と、グラデーション画像において所定の濃度範囲を指定する濃度範囲指定標識６６と、ヒストグラムにおいて上記所定の濃度範囲の階調処理が施される画像信号の強度範囲を指定する強度範囲指定標識６４とを表示するとともに、強度範囲指定標識６４により指定された強度範囲の画像信号に上記所定の濃度範囲で階調処理が施された画像信号に基づく可視画像を表示する。【選択図】　　　　　図５
2004126651.tif 000002
【特許請求の範囲】
【請求項１】
入力された画像信号に階調処理を施し、該階調処理の施された画像信号に基づく可視画像を表示するとともに、前記階調処理の処理条件を表示する画像処理条件表示方法において、
前記階調処理の処理条件として、前記画像信号の強度分布を示すヒストグラムと、前記階調処理の濃度範囲を示すグラデーション画像と、前記ヒストグラムにおいて前記濃度範囲の階調処理が施される画像信号の強度範囲を指定する強度範囲指定標識とを表示するとともに、
該強度範囲指定標識により指定された強度範囲の画像信号に階調処理が施された画像信号に基づく可視画像を表示することを特徴とする画像処理条件表示方法。
【請求項２】
入力された画像信号に階調処理を施し、該階調処理の施された画像信号に基づく可視画像を表示するとともに、前記階調処理の処理条件を表示する画像処理条件表示方法において、
前記階調処理の処理条件として、前記画像信号の強度分布を示すヒストグラムと、前記階調処理の濃度範囲を示すグラデーション画像と、該グラデーション画像において所定の濃度範囲を指定する濃度範囲指定標識とを表示するとともに、
該濃度範囲指定標識により指定された濃度範囲で前記画像信号に階調処理が施された画像信号に基づく可視画像を表示することを特徴とする画像処理条件表示方法。
【請求項３】
入力された画像信号に階調処理を施し、該階調処理の施された画像信号に基づく可視画像を表示するとともに、前記階調処理の処理条件を表示する画像処理条件表示方法において、
前記階調処理の処理条件として、前記画像信号の強度分布を示すヒストグラムと、前記階調処理の濃度範囲を示すグラデーション画像と、該グラデーション画像において所定の濃度範囲を指定する濃度範囲指定標識と、前記ヒストグラムにおいて前記所定の濃度範囲の階調処理が施される画像信号の強度範囲を指定する強度範囲指定標識とを表示するとともに、
前記強度範囲指定標識により指定された強度範囲の画像信号に前記所定の濃度範囲で階調処理が施された画像信号に基づく可視画像を表示することを特徴とする画像処理条件表示方法。
【請求項４】
入力された画像信号に階調処理を施す階調処理手段と、前記階調処理が施された画像信号に基づく可視画像および前記階調処理の処理条件を表示する表示手段と、該表示手段における前記可視画像および前記階調処理の処理条件の表示を制御する表示制御手段とを備えた画像処理条件表示装置において、
前記表示制御手段が、前記階調処理の処理条件として、前記画像信号の強度分布を示すヒストグラムと、前記階調処理の濃度範囲を示すグラデーション画像と、前記ヒストグラムにおいて前記濃度範囲の階調処理が施される画像信号の強度範囲を指定する強度範囲指定標識とを前記表示手段に表示させるものであり、
前記階調処理手段が、前記強度範囲指定標識により指定された強度範囲の画像信号に階調処理が施された画像信号を出力するものであり、
前記表示制御手段が、前記強度範囲指定標識により指定された強度範囲の画像信号に階調処理が施された画像信号に基づく可視画像を前記表示手段に表示させるものであることを特徴とする画像処理条件表示装置。
【請求項５】
入力された画像信号に階調処理を施す階調処理手段と、前記階調処理が施された画像信号に基づく可視画像および前記階調処理の処理条件を表示する表示手段と、該表示手段における前記可視画像および前記階調処理の処理条件の表示を制御する表示制御手段とを備えた画像処理条件表示装置において、
前記表示制御手段が、前記階調処理の処理条件として、前記画像信号の強度分布を示すヒストグラムと、前記階調処理の濃度範囲を示すグラデーション画像と、該グラデーション画像において所定の濃度範囲を指定する濃度範囲指定標識とを前記表示手段に表示させるものであり、
前記階調処理手段が、前記濃度範囲指定標識により指定された濃度範囲で前記画像信号に階調処理が施された画像信号を出力するものであり、
前記表示制御手段が、前記濃度範囲指定標識により指定された濃度範囲で前記画像信号に階調処理が施された画像信号に基づく可視画像を前記表示手段に表示させるものであることを特徴とする画像処理条件表示装置。
【請求項６】
入力された画像信号に階調処理を施す階調処理手段と、前記階調処理が施された画像信号に基づく可視画像および前記階調処理の処理条件を表示する表示手段と、該表示手段における前記可視画像および前記階調処理の処理条件の表示を制御する表示制御手段とを備えた画像処理条件表示装置において、
前記表示制御手段が、前記階調処理の処理条件として、前記画像信号の強度分布を示すヒストグラムと、前記階調処理の濃度範囲を示すグラデーション画像と、該グラデーション画像において所定の濃度範囲を指定する濃度範囲指定標識と、前記ヒストグラムにおいて前記所定の濃度範囲の階調処理が施される画像信号の強度範囲を指定する強度範囲指定標識とを前記表示手段に表示させるものであり、
前記階調処理手段が、前記強度範囲指定標識により指定された強度範囲の画像信号に前記所定の濃度範囲の階調処理が施された画像信号を出力するものであり、
前記表示制御手段が、前記強度範囲指定標識により指定された強度範囲の画像信号に前記所定の濃度範囲の階調処理が施された画像信号に基づく可視画像を前記表示手段に表示させるものであることを特徴とする画像処理条件表示装置。
【請求項７】
前記表示制御手段が、前記強度範囲指定標識により指定された強度範囲以外の画像信号に前記グラデーション画像の色とは異なる色を割り当てて前記表示手段に表示させるものであることを特徴とする請求項４または６記載の画像処理条件表示装置。
【発明の詳細な説明】
【０００１】
【発明の属する技術分野】
本発明は、入力された画像信号に階調処理を施し、該階調処理の施された画像信号に基づいて可視画像を表示するとともに、上記階調処理の処理条件を表示する画像処理条件表示方法および装置に関するものである。
【０００２】
【従来の技術】
従来より、ＣＣＤなどにより被写体を撮像することにより画像信号を得、該画像信号に階調処理などの画像処理を施してモニタなどに可視画像として表示する技術が種々の分野で利用されている。
【０００３】
生化学分野においては、生体由来の物質の構造または特性を解析するシステムに上記のような技術が利用されている。たとえば、スライドガラス板やメンブレンフィルタの担体表面上の異なる位置にリガンドまたはレセプタを固定し、抗原などで標識されたレセプタまたはリガンド（以下、標識レセプタまたは標識リガンドという）をハイブリダイゼーションなどによって、担体表面上に固定されたリガンドまたはレセプタと特異的に結合させ、続いて、標識レセプタまたは標識リガンドを標識している抗原などの物質に対する抗体を、酵素のように化学発光を生じさせる標識物質で標識し（以下、酵素標識抗体という）、この酵素標識抗体を標識レセプタまたは標識リガンドの抗原と特異的に結合させ、さらに酵素標識抗体の酵素と特異的に結合する化学発光基質を接触させて、化学発光基質と酵素との接触によって生ずる可視光波長領域の化学発光をＣＣＤなどにより光電変換して画像信号として得、この画像信号に基づく可視画像をモニタ表示することにより抗原などの生体由来の物質を解析するシステムが提案されている。
【０００４】
ここで、上記のようなシステムにおいては、ＣＣＤにより検出される化学発光は非常に微弱なものであるため、生体由来の物質の適切な解析を行うためには、ＣＣＤにより光電変換された信号に適切な階調処理を施し、適切な解析を行うことができる可視画像をモニタ上に表示する必要がある。上記のような適切な階調処理を行うためには、ＣＣＤにより得られた画像信号の中でも化学発光の強度に応じた強度範囲の画像信号に、適切な濃度範囲を割り当てる必要がある。したがって、従来は、たとえば、上記化学発光の強度に応じた強度範囲の画像信号を視覚で認識するために画像信号の強度分布を示すヒストグラムを表示したりしていた。また、階調処理における濃度範囲を視覚で認識するためにその濃度範囲を示すグラデーション画像を表示したりしていた。また、特許文献１においては、全ての画像信号についてのヒストグラムを表示し、このヒストグラムにおいて上記化学発光の強度に応じた強度範囲の画像信号の範囲を指定する方法が提案されている。
【０００５】
【特許文献１】
特開平８−１６０９３８号公報
【０００６】
【発明が解決しようとする課題】
しかしながら、上記のように従来は、上記ヒストグラムや上記グラデーション画像はいずれか一方のみしか表示されていなかったため、階調処理を施す画像信号の強度範囲と階調処理の濃度範囲との相互関係を視覚で認識し、それぞれの適切な範囲を指定することが困難であった。また、操作者が上記のような表示をみて階調処理を施す画像信号の強度範囲や階調処理の濃度範囲を適切な範囲に変更したい場合には、たとえば、階調処理のプログラムなどにおいて予め設定されている数値を直接変更する必要があり、作業が煩雑であった。また、上記のように数値を直接変更した場合には、その数値がヒストグラムにおいて具体的にどの辺に分布しているのか、またはその数値がグラデーション画像におけるどの辺の色に相当するのかを認識することが困難であった。
【０００７】
本発明による画像処理条件表示方法および装置は、上記のような事情に鑑み、上記のように画像信号に階調処理を施し、該階調処理の施された画像信号に基づいて可視画像を表示するとともに、その階調処理の処理条件を表示するような画像処理条件表示方法および装置において、階調処理を施す画像信号の強度範囲と階調処理の濃度範囲との相互関係を視覚で認識し、適切な範囲を容易に指定することができ、上記のような生体由来の物質の解析などに適切な可視画像を表示することができる画像処理条件表示方法および装置を提供することを目的とするものである。
【０００８】
【課題を解決するための手段】
本発明の第１の画像処理条件表示方法は、入力された画像信号に階調処理を施し、その階調処理の施された画像信号に基づく可視画像を表示するとともに、階調処理の処理条件を表示する画像処理条件表示方法において、階調処理の処理条件として、画像信号の強度分布を示すヒストグラムと、階調処理の濃度範囲を示すグラデーション画像と、ヒストグラムにおいて濃度範囲の階調処理が施される画像信号の強度範囲を指定する強度範囲指定標識とを表示するとともに、強度範囲指定標識により指定された強度範囲の画像信号に階調処理が施された画像信号に基づく可視画像を表示することを特徴とする。
【０００９】
ここで、上記「強度範囲指定標識」とは、上記ヒストグラムにおける所定の画像信号の強度範囲を指定できるものであれば如何なる表示形態でもよく、たとえば、上記ヒストグラムが縦軸を頻度、横軸を画像信号の強度とするものである場合には、２本の縦線を上記強度範囲指定標識として用いることができる。また、矢印などを用いるようにしてもよい。
【００１０】
本発明の第２の画像処理条件表示方法は、入力された画像信号に階調処理を施し、その階調処理の施された画像信号に基づく可視画像を表示するとともに、階調処理の条件を表示する画像処理条件表示方法において、階調処理の処理条件として、画像信号の強度分布を示すヒストグラムと、階調処理の濃度範囲を示すグラデーション画像と、グラデーション画像において所定の濃度範囲を指定する濃度範囲指定標識とを表示するとともに、濃度範囲指定標識により指定された濃度範囲で画像信号に階調処理が施された画像信号に基づく可視画像を表示することを特徴とする。
【００１１】
ここで、上記「濃度範囲指定標識」とは、上記グラデーション画像における所定の濃度範囲を指定できるものであれば如何なる表示形態でもよく、たとえば、上記グラデーション画像が横方向に延びる棒状の画像である場合には、２本の縦線を上記濃度範囲指定標識として用いることができる。また、矢印などを用いるようにしてもよい。
【００１２】
本発明の第３の画像処理条件表示方法は、入力された画像信号に階調処理を施し、その階調処理の施された画像信号に基づく可視画像を表示するとともに、階調処理の条件を表示する画像処理条件表示方法において、階調処理の処理条件として、画像信号の強度分布を示すヒストグラムと、階調処理の濃度範囲を示すグラデーション画像と、グラデーション画像において所定の濃度範囲を指定する濃度範囲指定標識と、ヒストグラムにおいて上記所定の濃度範囲の階調処理が施される画像信号の強度範囲を指定する強度範囲指定標識とを表示するとともに、強度範囲指定標識により指定された強度範囲の画像信号に上記所定の濃度範囲で階調処理が施された画像信号に基づく可視画像を表示することを特徴とする。
【００１３】
本発明の第１の画像処理条件表示装置は、入力された画像信号に階調処理を施す階調処理手段と、階調処理が施された画像信号に基づく可視画像および階調処理の処理条件を表示する表示手段と、表示手段における可視画像および階調処理の処理条件の表示を制御する表示制御手段とを備えた画像処理条件表示装置において、表示制御手段が、階調処理の処理条件として、画像信号の強度分布を示すヒストグラムと、階調処理の濃度範囲を示すグラデーション画像と、ヒストグラムにおいて濃度範囲の階調処理が施される画像信号の強度範囲を指定する強度範囲指定標識とを表示手段に表示させるものであり、階調処理手段が、強度範囲指定標識により指定された強度範囲の画像信号に階調処理が施された画像信号を出力するものであり、表示制御手段が、強度範囲指定標識により指定された強度範囲の画像信号に階調処理が施された画像信号に基づく可視画像を表示手段に表示させるものであることを特徴とする。
【００１４】
本発明の第２の画像処理条件表示装置は、入力された画像信号に階調処理を施す階調処理手段と、階調処理が施された画像信号に基づく可視画像および階調処理の処理条件を表示する表示手段と、表示手段における可視画像および階調処理の処理条件の表示を制御する表示制御手段とを備えた画像処理条件表示装置において、表示制御手段が、階調処理の処理条件として、画像信号の強度分布を示すヒストグラムと、階調処理の濃度範囲を示すグラデーション画像と、グラデーション画像において所定の濃度範囲を指定する濃度範囲指定標識とを表示手段に表示させるものであり、階調処理手段が、濃度範囲指定標識により指定された濃度範囲で画像信号に階調処理が施された画像信号を出力するものであり、表示制御手段が、濃度範囲指定標識により指定された濃度範囲で画像信号に階調処理が施された画像信号に基づく可視画像を表示手段に表示させるものであることを特徴する。
【００１５】
本発明の第３の画像処理条件表示装置は、入力された画像信号に階調処理を施す階調処理手段と、階調処理が施された画像信号に基づく可視画像および階調処理の処理条件を表示する表示手段と、表示手段における可視画像および階調処理の処理条件の表示を制御する表示制御手段とを備えた画像処理条件表示装置において、表示制御手段が、階調処理の処理条件として記画像信号の強度分布を示すヒストグラムと、階調処理の濃度範囲を示すグラデーション画像と、グラデーション画像において所定の濃度範囲を指定する濃度範囲指定標識と、ヒストグラムにおいて所定の濃度範囲の階調処理が施される画像信号の強度範囲を指定する強度範囲指定標識とを表示手段に表示させるものであり、階調処理手段が、強度範囲指定標識により指定された強度範囲の画像信号に所定の濃度範囲の階調処理が施された画像信号を出力するものであり、表示制御手段が、強度範囲指定標識により指定された強度範囲の画像信号に所定の濃度範囲の階調処理が施された画像信号に基づく可視画像を表示手段に表示させるものであることを特徴とする。
【００１６】
また、上記第１および第３の画像処理条件表示装置においては、表示制御手段を、強度範囲指定標識により指定された強度範囲以外の画像信号にグラデーション画像の色とは異なる色を割り当てて表示手段に表示させるものとすることができる。
【００１７】
【発明の効果】
本発明の第１の画像処理条件表示方法および装置によれば、階調処理の処理条件として、画像信号の強度分布を示すヒストグラムと、階調処理の濃度範囲を示すグラデーション画像と、ヒストグラムにおいて濃度範囲の階調処理が施される画像信号の強度範囲を指定する強度範囲指定標識とを表示するとともに、強度範囲指定標識により指定された強度範囲の画像信号に階調処理が施された画像信号に基づく可視画像を表示するようにしたので、グラデーション画像により階調処理の濃度範囲を視覚で認識しながら階調処理の施される適切な画像信号の強度範囲をヒストグラムにおいて容易に指定することができ、適切な階調処理の施された画像信号に基づく可視画像を表示することができる。
【００１８】
本発明の第２の画像処理条件表示方法および装置によれば、階調処理の処理条件として、画像信号の強度分布を示すヒストグラムと、階調処理の濃度範囲を示すグラデーション画像と、グラデーション画像において所定の濃度範囲を指定する濃度範囲指定標識とを表示するとともに、濃度範囲指定標識により指定された濃度範囲で画像信号に階調処理が施された画像信号に基づく可視画像を表示するようにしたので、ヒストグラムにより画像信号の強度範囲を視覚で認識しながら適切な階調処理の濃度範囲をグラデーション画像において容易に指定することができ、適切な階調処理の施された画像信号に基づく可視画像を表示することができる。
【００１９】
本発明の第３の画像処理条件表示方法および装置によれば、階調処理の処理条件として、画像信号の強度分布を示すヒストグラムと、階調処理の濃度範囲を示すグラデーション画像と、グラデーション画像において所定の濃度範囲を指定する濃度範囲指定標識と、ヒストグラムにおいて上記所定の濃度範囲の階調処理が施される画像信号の強度範囲を指定する強度範囲指定標識とを表示するとともに、強度範囲指定標識により指定された強度範囲の画像信号に上記所定の濃度範囲で階調処理が施された画像信号に基づく可視画像を表示するようにしたので、上記ヒストグラムにより画像信号の強度範囲を、グラデーション画像により階調処理の濃度範囲を視覚で認識しながら、階調処理の施される適切な画像信号の強度範囲および階調処理の濃度範囲を容易に指定することができ、適切な階調処理の施された画像信号に基づく可視画像を表示することができる。
【００２０】
また、上記第１および第３の画像処理条件表示装置において、強度範囲指定標識により指定された強度範囲以外の画像信号にグラデーション画像の色とは異なる色を割り当てて表示させるようにした場合には、上記指定された強度範囲以外の画像信号に応じた画像部分を容易に認識することができる。したがって、たとえば、その画像部分を見て再度画像信号の強度範囲や階調処理の濃度範囲を指定し直すことにより、より適切な可視画像を表示することができる。
【００２１】
【発明の実施の形態】
以下、本発明の具体的な実施の形態について図面を用いて説明する。図１および図２は、本発明の画像処理条件表示方法を実施する画像処理条件表示装置の一実施形態を利用した化学発光画像表示装置の概略構成図である。
【００２２】
本化学発光画像表示装置は、上述したような生体由来の物質の構造や特性を解析するためのものであり、担体表面上のリガンドまたはレセプタに、抗原などで標識されたレセプタまたはリガンドを特異的に結合させ、酵素標識抗体を上記標識レセプタまたは標識リガンドの抗原と特異的に結合させ、酵素標識抗体と化学発光基質を接触させることによって生ずる可視光波長領域の化学発光をＣＣＤなどにより光電変換して画像信号として得、その画像信号に階調処理などの所定の画像処理を施した後、可視画像をモニタに表示するものである。
【００２３】
本化学発光画像表示装置は、図１に示されるようにＣＣＤ撮像装置１、暗箱２およびパーソナルコンピュータ３から構成されている。
【００２４】
ＣＣＤ撮像装置１は、図２に示すように、化学発光を受光して光電変換し、強度に応じた画像信号を出力するＣＣＤ１０、ＣＣＤ１０の前面に配置されたシャッタ１２、ＣＣＤ１０から出力された信号をデジタル化された画像信号に変換するＡ／Ｄ変換器１４、およびＡ／Ｄ変換器１４によってデジタル化された画像信号を一時的に記憶する画像信号バッファ１６を備えている。また、上記各手段をパーソナルコンピュータ３からの信号により制御する制御手段１８を備えている。
【００２５】
暗箱２との間に形成された開口部にはガラス板３０が設けられている。また、ＣＣＤ撮像装置１の周囲には放熱のための放熱フィン３２が形成されている。ガラス板３０の暗箱２側の面には、レンズフォーカス調整機能を有するカメラレンズ３４が設けられている。
【００２６】
そして、図３に示すように、暗箱２内にはサンプル４０を設置するサンプルプレート４１が設けられている。本実施形態におけるサンプル４０は、担体表面上のリガンドまたはレセプタに、抗原などで標識されたレセプタまたはリガンドを特異的に結合させ、酵素標識抗体を上記標識レセプタまたは標識リガンドの抗原と特異的に結合させ、酵素標識抗体と化学発光基質を接触させたものである。
【００２７】
パーソナルコンピュータ３は、ＣＣＤ撮像装置１を制御するＣＰＵを有する本体４、本体４のＣＰＵの制御によりＣＣＤ撮像装置１において撮像された画像信号に階調処理などの画像処理が施された画像信号に基づいて可視画像を表示するとともに、上記階調処理の処理条件を表示するモニタ５、および本体４に所定の信号入力を行うためのキーボード６とマウス７を備えている。そして、本体４は、ＣＣＤ撮像装置１から出力された画像信号に階調処理を施す階調処理手段８と、モニタ５における上記可視画像および階調処理の処理条件の表示を制御する表示制御手段９を備えている。
【００２８】
モニタ５には、図４に示すように、上記可視画像５０を表示する可視画像表示部５１と上記階調処理条件を表示する階調処理条件表示部５２とが設けられている。なお、可視画像５０はサンプル４０をＣＣＤにより撮像した画像であり、多数配列された円形の画像が化学発光基質から発せられた化学発光に基づく化学発光画像である。
【００２９】
次に、本実施形態の化学発光画像表示装置の作用について説明する。
【００３０】
まず、ユーザーによりサンプル４０がフィルタ４３上に載置される。その後、ユーザによりカメラレンズ３４を用いてレンズフォーカス調整がなされ、レンズフォーカスが完了すると暗箱２が閉じられる。その後、ユーザーがキーボード５に露出開始信号を入力すると、その露出開始信号はＣＣＤ撮像装置１の制御手段１８に入力され、制御手段１８によりシャッタ１６が開かれてＣＣＤ１０が露出される。
【００３１】
サンプル４０の化学発光基質から発せられた化学発光が、カメラレンズ３４を介して、ＣＣＤ撮像装置１のＣＣＤ１０の受光面に結像される。ＣＣＤ１０は受光面に結像された像を光電変換して蓄積する。
【００３２】
所定の撮像時間が経過すると、パーソナルコンピュータ３のＣＰＵは、ＣＣＤ撮像装置１の制御手段１８に露出完了信号を出力する。制御手段１８は、上記露出完了信号を受けると、ＣＣＤ１０からＡ／Ｄ変換器１８に蓄積信号を転送させ、Ａ／Ｄ変換器１８においてデジタル化し、その画像信号を画像データバッファ２０に一時的に記憶させる。
【００３３】
そして、画像データバッファ２０に記憶された画像信号は、パーソナルコンピュータ３の本体４のＣＰＵからの制御信号に応じて読み出され、本体４におけるメモリ（不図示）に入力され記憶される。メモリに記憶された画像信号は階調処理手段８に入力され、予め設定された濃度範囲に応じた階調処理が施され、階調処理が施された画像信号は表示制御手段９に出力される。表示制御手段９は画像信号にモニタ５に表示するための所定の画像信号処理を施した後、モニタ５に出力する。モニタ５は所定の画像処理が施された画像信号に基づいて可視画像を可視画像表示部５１に表示する。一方、表示制御手段９は、上記のようにしてモニタ５の可視画像表示部５１に可視画像を表示させるとともに、階調処理条件表示部５２に階調処理の処理条件を表示させる。このとき表示される階調処理の処理条件を図５（ａ）に示す。図５（ａ）に示すように、階調処理条件表示部５２には、階調処理手段８に入力された画像信号の強度分布を示すヒストグラム６０と、ヒストグラム６０において階調処理の施される画像信号の強度範囲を指定する強度範囲指定標識６４と、予め設定された濃度範囲を示すグラデーション画像６２と、グラデーション画像６２において所定の濃度範囲を指定する濃度範囲指定標識６６とが表示される。モニタ５には、まず階調処理手段８に入力された全ての画像信号に予め設定された濃度範囲の全ての濃度範囲に応じた階調処理が施された画像信号に基づく可視画像が表示されるが、このとき階調処理条件表示部５２においては、強度範囲指定標識６４はヒストグラム６０の左右両端の位置に表示される。そして、濃度範囲指定標識６６はグラデーション画像６２の左右両端に位置に表示される。なお、グラデーション画像６２は左から右に向かって白から黒へ徐々に色が変化する様子を示した画像である。
【００３４】
そして、次に、コンピュータ３のキーボード６またはマウス７からの信号入力により、図５（ｂ）に示すように、強度範囲指定標識６４を左右に移動させることにより、所定の強度範囲の画像信号を指定する。キーボード６からの信号入力により強度範囲指定標識６４を移動させる場合には、たとえば、カーソルキーなどを利用すればよく、また、マウス７からの信号入力により強度範囲指定標識６４を移動させる場合には、たとえば、マウス７からの信号入力によりモニタ５に表示される矢印により強度範囲指定標識６４を指定し、上記矢印とともに左右に移動させるようにすればよい。
【００３５】
上記のようにして強度範囲指定標識６４により強度範囲が指定された際には、その強度範囲の情報が階調処理手段８に出力される。そして、階調処理手段８は、その入力された強度範囲の画像信号に全ての濃度範囲で階調処理を施した後、その階調処理の施された画像信号を表示制御手段９に出力する。表示制御手段９は、先に表示されたいた可視画像を、上記階調処理の施された画像信号に基づく可視画像に置き換えて可視画像表示部５１に表示する。なお、強度範囲指定標識６４により指定された強度範囲以外の画像信号については、たとえば、モニタ５に表示される可視画像が白黒画像であり、画像信号の大きさが大きい程白く表示されるような場合には、上記指定された強度範囲の画像信号より小さい強度の画像信号については全て黒色を割り当ててモニタ５上に表示し、上記指定された強度範囲の画像信号より大きい強度の画像信号については全て白色を割り当ててモニタ５上に表示するようにすればよい。また、上記指定れた強度範囲以外の画像信号については白黒以外のカラー色を割り当てて表示するようにしてもよい。たとえば、上記指定された強度範囲の画像信号より小さい強度の画像信号については全て青色を割り当ててモニタ５上に表示し、上記指定された強度範囲の画像信号より大きい強度の画像信号については全て赤色を割り当ててモニタ５上に表示するようにすればよい。
【００３６】
また、さらに、コンピュータ３のキーボード６またはマウス７からの信号入力により、図５（ｃ）に示すように、濃度範囲指定標識６６を左右に移動させることにより所定の濃度範囲を指定する。上記のようにして濃度範囲指定標識６６により所定の濃度範囲が指定された際には、その濃度範囲の情報が階調処理手段８に出力される。そして、階調処理手段８は、入力された濃度範囲の情報に応じた階調処理を強度範囲指定標識６４により指定された画像信号に施した後、その階調処理の施された画像信号を表示制御手段９に出力する。表示制御手段９は、先に表示されたいた可視画像を上記階調処理の施された画像信号に基づく可視画像に置き換えて可視画像表示部５１に表示する。
【００３７】
上記化学発光画像表示装置によれば、階調処理の処理条件として、画像信号の強度分布を示すヒストグラム６０と、階調処理の濃度範囲を示すグラデーション画像６２と、グラデーション画像において所定の濃度範囲を指定する濃度範囲指定標識６６と、ヒストグラムにおいて上記所定の濃度範囲の階調処理が施される画像信号の強度範囲を指定する強度範囲指定標識６４とを表示するとともに、強度範囲指定標識６４により指定された強度範囲の画像信号に上記所定の濃度範囲で階調処理が施された画像信号に基づく可視画像を表示するようにしたので、上記ヒストグラムにより画像信号の強度範囲を、グラデーション画像により階調処理の濃度範囲を視覚で認識しながら、階調処理の施される適切な画像信号の強度範囲および階調処理の濃度範囲を容易に指定することができ、適切な階調処理の施された画像信号に基づく可視画像を表示することができる。
【００３８】
また、さらに、図６に示すように、階調処理条件表示部５２に、階調処理における階調曲線を選択可能な階調曲線選択部７０を表示させるようにしてもよい。階調曲線選択部７０においては、マウス７により矢印部分７１をクリックすることにより階調曲線表示部７２の窓枠が広がり、その窓枠内に予め設定された各種の階調曲線の名前が表示される。そして、この表示された階調曲線の名前のうちいずれか１つを選択することにより階調曲線を選択することができる。階調処理手段８は、この階調曲線選択部７０において選択された階調曲線に基づいて上記実施形態における階調処理を行う。上記のように階調曲線選択部７０により階調曲線も選択できるようにすれば、より適切な階調処理を施すことが可能である。
【００３９】
また、上記実施形態においては、サンプル４０として、化学発光するものを用い、この化学発光をＣＣＤにより検出するようにしたが、サンプル４０として、励起光の照射により蛍光を発する蛍光標識物質によって標識された生体由来の物質をメンブレンフィルタに結合させたものを用い、蛍光標識物質から発せられた蛍光を検出するようにしてもよい。この場合、図７に示すように、暗箱２内におけるサンプル４０の斜め上方に、励起光を発する第一の青色ＬＥＤ光源４２および第二の青色ＬＥＤ光源４３を設けるようにすればよい。第一の青色ＬＥＤ光源４２および第ニの青色ＬＥＤ光源の上面には、それぞれフィルタ４４およびフィルタ４５が設けられている。フィルタ４４，４５は励起光の波長帯域付近の光のみを透過し、それ以外の波長帯域の光をカットするものである。また、さらにサンプルプレート４１を励起光を透過する材料からなるものとし、サンプル４０の下方に青色ＬＥＤ光源を設け、下方からも励起光を照射するようにしてもよい。また、カメラレンズ３４に励起光の波長帯域の光をカットするフィルタを設けるようにしてもよい。
【図面の簡単な説明】
【図１】本発明の画像処理条件表示方法を実施する画像処理条件表示装置の一実施形態を利用した化学発光画像表示装置の概略構成図
【図２】図１に示す化学発光画像表示装置におけるＣＣＤ撮像装置の概略構成図
【図３】図１に示す化学発光画像表示装置における暗箱の縦断面図
【図４】図１に示す化学発光画像表示装置におけるモニタの概略構成図
【図５】図４に示すモニタの画像処理条件表示部における画像処理条件の表示の詳細説明図
【図６】図４に示すモニタの画像処理条件表示部におけるその他に表示形態を示す図
【図７】その他の実施形態の化学発光画像表示装置における暗箱の従断面図
【符号の説明】
１　　ＣＣＤ撮像装置
２　　暗箱
３　　パーソナルコンピュータ
４　　本体
５　　モニタ
６　　キーボード
７　　マウス
８　　階調処理手段
９　　表示制御手段
１０　　ＣＣＤ
１２　　シャッタ
１４　　Ａ／Ｄ変換器
１６　　画像信号バッファ
１８　　制御手段
３２　　放熱フィン
３４　　カメラレンズ
４０　　サンプル
４１　　サンプルトレイ
４２　　第一の青色ＬＥＤ光源
４３　　第二の青色ＬＥＤ光源
４４、４５　　フィルタ
５０　　可視画像
５１　　可視画像表示部
５２　　画像処理条件表示部
６０　　ヒストグラム
６２　　グラデーション画像
６４　　強度範囲指定標識
６６　　濃度範囲指定標識
７０　　階調曲線選択部
７１　　矢印部分
７２　　階調曲線表示部
【図１】
2004126651.tif 000003
【図２】
2004126651.tif 000004
【図３】
2004126651.tif 000005
【図４】
2004126651.tif 000006
【図５】
2004126651.tif 000007
【図６】
2004126651.tif 000008
【図７】
2004126651.tif 000009